【事件の表示】
　特許第３０７１１４８号に関する訂正審判事件について、次のとおり審決する。
【結　論】
　特許第３０７１１４８号に係る明細書を本件審判請求書に添付された訂正明細書のとおり訂正することを認める。
【理　由】
１．請求の要旨
　本件審判の請求の要旨は、特許第３０７１１４８号発明（平成１年８月９日に出願の特願平１−２０７３１２号の一部を分割した特願平８−２３２３７３号出願、平成１２年５月２６日設定登録）の明細書を本件審判請求書に添付された訂正明細書のとおり、すなわち下記(1)ないし(10)のとおりに訂正することを求めるものである。
　
(1)特許請求の範囲の請求項５を削除し、請求項６ないし８をそれぞれ請求項５ないし７に繰り上げ、特許請求の範囲を次のとおり訂正する。
「　【請求項１】　予め定められる識別データを送出する送信手段と、
　複数の前記識別データを書込／読出可能な記憶手段と、
　前記記憶手段を書込可能状態に設定するか読出可能状態に設定するかを選択する書込状態設定手段と、
　前記記憶手段の記憶内容の消去指示を入力する消去状態設定手段と、
　前記書込状態設定手段の書込可能状態操作後の時間を計時する計時手段と、
　前記書込状態設定手段によって前記記憶手段が書込可能状態に設定されかつ計時手段による予め定められる時間以内に前記送信手段から送出される識別データを受信したときには、その識別データを前記記憶手段に書込み、前記書込状態設定手段によって前記記憶手段が読出可能状態に設定されたときには、前記送信手段から送出される識別データを前記記憶手段に記憶された識別データと比較し、
両者が一致したときに被制御装置を制御する受信手段と、
　前記書込状態設定手段によって記憶手段が書込可能状態に設定されかつ計時手段による予め定められる時間以内に消去状態設定手段によって消去指示されたときには、前記記憶手段に記憶された全ての識別データを消去する記憶内容消去手段とを含むことを特徴とする識別データを書込可能な通信装置。
　【請求項２】　受信手段は、記憶手段への書込みが完了したとき、および全ての識別データの消去が完了したとき、書込可能状態を完了することを特徴とする請求項１記載の識別データを書込可能な通信装置。
　【請求項３】　受信手段は、書込可能状態を完了するとともに、記憶手段を読出可能状態に設定することを特徴とする請求項１または２記載の識別データを書込可能な通信装置。
　【請求項４】　予め定められる識別データを送出する送信手段と、
　複数の前記識別データを書込／読出可能な記憶手段と、
　前記記憶手段を書込可能状態に設定するか読出可能状態に設定するかを選択する書込状態設定手段と、
　前記書込状態設定手段によって記憶手段が書込状態に設定されたときには、前記送信手段から送出される識別データを前記記憶手段に書込み、前記書込状態設定手段によって記憶手段が読出状態に設定されたときには、前記送信手段から送出される識別データを前記記憶手段に記憶された識別データと比較し、両者が一致したときに被制御装置を制御する受信手段と、
　前記記憶手段の記憶内容の消去指示を入力する消去状態設定手段と、
　消去状態設定手段の出力に応答し、消去状態設定手段によって消去指示されたときには、前記記憶手段に記憶された全ての識別データを消去する記憶内容消去手段と、
　受信手段と記憶内容消去手段の出力に応答し、識別データの記憶手段への書込を完了したときには、第１の態様で報知し、記憶内容消去手段による記憶手段の記憶内容の消去が完了したときには、第１の態様とは異なる第２の態様で報知する報知手段とを含むことを特徴とする識別データを書込可能な通信装置。
　【請求項
５
報知手段は、記憶手段が書込可能状態であることを、その書込可能状態である期間に亘って第１および第２の態様とは異なる第３の態様で報知することを特徴とする請求項
４
　【請求項
６
第１および第２の各態様で報知したとき、第３の態様での報知を終了することを特徴とする請求項
５
　【請求項
７
前記識別データを書込／読出可能な記憶手段と、
前記記憶手段を書込可能状態、読出可能状態または消去するかを操作して選択する状態設定手段と、
前記状態設定手段の書込可能状態および消去のための予め定める状態操作後の時間を計時する計時手段と、
前記状態設定手段によって前記記憶手段が書込可能状態に設定されかつ計時手段による第１の予め定められる時間以内に前記送信手段から送出される識別データを受信したときには、その識別データを前記記憶手段に書込み、前記状態設定手段によって前記記憶手段が読出可能状態に設定されたときには、前記送信手段から送出される識別データを前記記憶手段に記憶された識別データと比較し、両者が一致したときに被制御装置を制御する受信手段と、
前記状態設定手段によって記憶手段の消去のための予め定める状態に設定された後から計時手段による第２の予め定められる時間以内に、状態設定手段によって消去指示されたときには、記憶手段の記憶内容を消去する記憶内容消去手段とを含むことを特徴とする識別データを書込可能な通信装置。」
(2)明細書段落【０００７】を次のとおりに訂正する。
　「【課題を解決するための手段】
　本発明は、予め定められる識別データを送出する送信手段と、
　複数の前記識別データを書込／読出可能な記憶手段と、
　前記記憶手段を書込可能状態に設定するか読出可能状態に設定するかを選択する書込状態設定手段と、
　前記記憶手段の記憶内容の消去指示を入力する消去状態設定手段と、
　前記書込状態設定手段の書込可能状態操作後の時間を計時する計時手段と、
　前記書込状態設定手段によって前記記憶手段が書込可能状態に設定されかつ計時手段による予め定められる時間以内に前記送信手段から送出される識別データを受信したときには、その識別データを前記記憶手段に書込み、前記書込状態設定手段によって前記記憶手段が読出可能状態に設定されたときには、前記送信手段から送出される識別データを前記記憶手段に記憶された識別データと比較し、両者が一致したときに被制御装置を制御する受信手段と、
　前記書込状態設定手段によって記憶手段が書込可能状態に設定されかつ計時手段による予め定められる時間以内に消去状態設定手段によって消去指示されたときには、前記記憶手段に記憶された全ての識別データを消去する記憶内容消去手段とを含むことを特徴とする識別データを書込可能な通信装置である。
　また本発明は、受信手段は、記憶手段への書込みが完了したとき、および全ての識別データの消去が完了したとき、書込可能状態を完了することを特徴とする。
　また本発明は、受信手段は、書込可能状態を完了するとともに、記憶手段を読出可能状態に設定することを特徴とする。
　また本発明は、予め定められる識別データを送出する送信手段と、
　複数の前記識別データを書込／読出可能な記憶手段と、
前記記憶手段を書込可能状態に設定するか読出可能状態に設定するかを選択する書込状態設定手段と、
　前記書込状態設定手段によって記憶手段が書込状態に設定されたときには、前記送信手段から送出される識別データを前記記憶手段に書込み、前記書込状態設定手段によって記憶手段が読出状態に設定されたときには、前記送信手段から送出される識別データを前記記憶手段に記憶された識別データと比較し、両者が一致したときに被制御装置を制御する受信手段と、
　前記記憶手段の記憶内容の消去指示を入力する消去状態設定手段と、
　消去状態設定手段の出力に応答し、消去状態設定手段によって消去指示されたときには、前記記憶手段に記憶された全ての識別データを消去する記憶内容消去手段と、
　受信手段と記憶内容消去手段の出力に応答し、識別データの記憶手段への書込を完了したときには、第１の態様で報知し、記憶内容消去手段による記憶手段の記憶内容の消去が完了したときには、第１の態様とは異なる第２の態様で報知する報知手段とを含むことを特徴とする識別データを書込可能な通信装置である。
　また本発明は、記憶内容消去手段は、書込状態設定手段によって設定された書込可能状態にあるとき、消去状態設定手段によって消去指示されると、記憶手段の記憶内容を消去し、
　報知手段は、記憶手段が書込可能状態であることを、その書込可能状態である期間に亘って第１および第２の態様とは異なる第３の態様で報知することを特徴とする。
　また本発明は、書込み完了時および消去完了時には、書込可能状態を完了し、
第１および第２の各態様で報知したとき、第３の態様での報知を終了することを特徴とする。
　また本発明は、予め定められる識別データを送出する送信手段と、
　前記識別データを書込／読出可能な記憶手段と、
　前記記憶手段を書込可能状態、読出可能状態または消去するかを操作して選択する状態設定手段と、
　前記状態設定手段の書込可能状態および消去のための予め定める状態操作後の時間を計時する計時手段と、
　前記状態設定手段によって前記記憶手段が書込可能状態に設定されかつ計時手段による第１の予め定められる時間以内に前記送信手段から送出される識別データを受信したときには、その識別データを前記記憶手段に書込み、前記状態設定手段によって前記記憶手段が読出可能状態に設定されたときには、前記送信手段から送出される識別データを前記記憶手段に記憶された識別データと比較し、両者が一致したときに被制御装置を制御する受信手段と、
　前記状態設定手段こよって記憶手段の消去のための予め定める状態に設定された後から計時手段による第２の予め定められる時間以内に、状態設定手段によって消去指示されたときには、記憶手段の記憶内容を消去する記憶内容消去手段とを含むことを特徴とする識別データを書込可能な通信装置である。」
(3)明細書段落【００１４】を次のとおりに訂正する。
　「請求項
４の
(4)明細書段落【００１５】を次のとおりに訂正する。
　「請求項
５
(5)明細書段落【００１６】を次のとおりに訂正する。
　「請求項
６
(6)明細書段落【００１７】を次のとおりに訂正する。
　「請求項
７
(7)明細書段落【００５９】を次のとおりに訂正する。
　「請求項
４の
(8)明細書段落【００６０】を次のとおりに訂正する。
　「請求項
５
(9)明細書段落【００６１】を次のとおりに訂正する。
　「請求項
６
(10)明細書段落【００６２】を次のとおりに訂正する。
　「請求項
７
　
２．当審の判断
　そこで、これらの訂正事項について検討すると、上記(1)の訂正は、請求項５の削除であるから、特許請求の範囲の減縮を目的とするものである。
　また、上記(2)ないし(10)は、特許請求の範囲と発明の詳細な説明の記載との整合を図るものであるから、明りょうでない記載の釈明を目的とするものである。
　そして、上記各訂正は、願書に添付された明細書又は図面に記載された事項の範囲内のものであって、かつ、実質上特許請求の範囲を拡張し又は変更するものではない。
　また、訂正後における特許請求の範囲に記載されている事項により構成される発明が、特許出願の際独立して特許を受けることができない発明でもない。
　
３．むすび
　したがって、本件審判の請求は、平成６年法改正前の特許法第１２６条第１項ただし書き、第２項及び第３項の規定に適合する。
　よって、結論のとおり審決する